(57)【要約】【課題】ネットワークを介して接続された相手端末との間のテレビ会議通信において、相手端末に送信される送話音声を、直感的な操作によって確実にミュート処理する。【解決手段】加速度センサ１１ａは、携帯端末装置１０に対して直交する３軸方向の各加速度を検出する。マイク１２は、テレビ会議相手端末５０との通話における携帯端末装置１０の周囲の通話音声を収音する。端末状態判定部２１は、加速度センサ１１ａの３軸方向の各加速度の検出値を基に、携帯端末装置１０の状態を判定する。送話ミュート処理部２２は、携帯端末装置１０の状態が特定の置かれ方である場合には、マイク１２により収音された通話音声の音声信号をミュート処理する。【選択図】図４
2014220558.tif 000002
【特許請求の範囲】
【請求項１】
ネットワークを介して接続された相手端末と通信する携帯端末装置であって、
所定の実行周期毎に、前記携帯端末装置に対して直交する３軸方向の各加速度を検出する加速度センサと、
前記相手端末との通話における前記携帯端末装置の周囲の通話音声を収音する音声収音部と、
前記加速度センサの３軸方向の各加速度の検出値を基に、前記携帯端末装置の状態を判定する端末状態判定部と、
前記携帯端末装置の状態の判定結果に応じて、収音された前記通話音声の音声信号をミュート処理するミュート処理部と、を備える、
携帯端末装置。
【請求項２】
請求項１に記載の携帯端末装置であって、
前記所定の実行周期毎に、前記携帯端末装置の筐体の所定の面に対する照度を検出する照度センサ、を更に備え、
前記端末状態判定部は、
前記加速度センサの３軸方向の各加速度の検出値と前記照度センサの前記所定の面に対する照度の検出値とを基に、前記携帯端末装置の状態を判定する、
携帯端末装置。
【請求項３】
請求項１に記載の携帯端末装置であって、
前記端末状態判定部は、
前記加速度センサの３軸方向の各加速度の検出値のうち、前記携帯端末装置の面方向の各加速度の検出値が所定の第１閾値以下であって、前記携帯端末装置の厚さ方向の各加速度の検出値が所定の第２閾値以上である場合に、前記携帯端末装置が伏せて置かれたと判定し、収音された前記通話音声の音声信号をミュート処理させるためのミュートフラグを生成する、
携帯端末装置。
【請求項４】
請求項３に記載の携帯端末装置であって、
前記ミュート処理部は、
前記端末状態判定部により生成された前記ミュートフラグに応じて、前記音声収音部により収音された通話音声の音声信号をミュート処理する、
携帯端末装置。
【請求項５】
請求項１に記載の携帯端末装置であって、
前記携帯端末装置の状態が特定の置かれ方であると判定された場合に、前記音声収音部により収音された通話音声の音声信号のミュート処理の実行を、照明の点灯若しくは点滅、バイブレータ及び鳴動音のうち、少なくとも１つを用いて通知する送話ミュート通知部を更に有する、
携帯端末装置。
【請求項６】
請求項３に記載の携帯端末装置であって、
前記ミュート処理部は、継続カウンタ値と前記所定の実行周期との乗算結果の期間において、前記音声収音部により収音された通話音声の音声信号をミュート処理し、
前記継続カウンタ値は、
所定の初期値から前記実行周期の期間が経過する度に１減少する、
携帯端末装置。
【請求項７】
ネットワークを介して接続された相手端末と通信する携帯端末装置における音声ミュート処理方法であって、
前記相手端末との通話における前記携帯端末装置の周囲の通話音声を収音するステップと、
所定の実行周期毎に、前記携帯端末装置に対して直交する３軸方向の各加速度を検出するステップと、
前記３軸方向の各加速度の検出値を基に、前記携帯端末装置の状態を判定するステップと、
前記携帯端末装置の状態の判定結果に応じて、収音された前記通話音声の音声信号をミュート処理するステップと、を有する、
音声ミュート処理方法。
【請求項８】
ネットワークを介して接続された相手端末と通信するコンピュータである携帯端末装置に、
前記相手端末との通話における前記携帯端末装置の周囲の通話音声を収音するステップと、
所定の実行周期毎に、前記携帯端末装置に対して直交する３軸方向の各加速度を検出するステップと、
前記３軸方向の各加速度の検出値を基に、前記携帯端末装置の状態を判定するステップと、
前記携帯端末装置の状態の判定結果に応じて、収音された前記通話音声の音声信号をミュート処理するステップと、を実行させるための、
プログラム。
【発明の詳細な説明】
【技術分野】
【０００１】
本発明は、例えば双方向型のテレビ会議に用いられ、テレビ会議の相手が用いる相手端末に送信される通話音声の音声信号をミュート処理する携帯端末装置、音声ミュート処理方法及びプログラムに関する。
【背景技術】
【０００２】
近年、カメラ及びマイクを含む携帯端末装置（例えばスマートフォン又はタブレット端末）等の利用が急速に広まっている。このような携帯端末装置は、ビジネス向けの用途として、例えば企業内のテレビ会議に利用され始めている。従来のテレビ会議では、参加者はテレビ会議用システムが備えられた専用会議室内に居る必要があったが、例えばネットワークに接続された携帯端末装置を参加者が個々に用いることで、参加者は、専用会議室に居なくてもそれぞれ離れた場所においてテレビ会議に参加できる。
【０００３】
例えばＡ社の技術者チームとＢ社の技術者チームとがテレビ会議を行っている場合を想定する。Ａ社の技術者チームがＢ社の技術者チームに話す発言内容を相談している間、携帯端末装置を介して、Ａ社の技術者チームから秘匿性の高い情報（例えばＡ社の営業秘密）がＢ社の技術者チームに漏洩する可能性がある。
【０００４】
秘匿性の高い情報の漏洩を防ぐためには、Ａ社の技術者チームは、Ｂ社の技術者チームに対して発言する前に発言内容をチーム内にて相談する場合には、相談内容がＢ社の技術者チームに聞こえないように、携帯端末装置に相談内容の音声をミュート処理させることが必要である。
【０００５】
ここで、例えば音声会議又はテレビ会議において発言内容の音声（通話音声）をミュート処理する先行技術として、特許文献１及び２が知られている。特許文献１では、音声会議システムにおける送話ミュート装置は、例えば音声会議の通話時に、送話ミュート装置の筐体外面に設けられた接触センサ装置において接触検知情報が検知されると、近端話者から遠端話者への送話音声をミュート処理する。
【０００６】
また、特許文献２では、ビデオ会議ユニットは、ネットワークを介して１つ以上の拠点との間でビデオ会議を実行し、ディスプレイのタッチスクリーンに表示された音声ミュートボタンがタッチされると、音声ミュートボタンのタッチを検知して他の拠点に送信される音声信号をミュート処理する。
【先行技術文献】
【特許文献】
【０００７】
【特許文献１】特開２００８−２８８８５号公報
【特許文献２】特開２００７−２００３２９号公報
【発明の概要】
【発明が解決しようとする課題】
【０００８】
しかし、特許文献１及び２では、音声会議又はテレビ会議の参加者が接触センサ装置又はタッチスクリーンをタッチすると、通話相手に送信される通話音声はミュート処理されるが、接触センサ装置又はタッチスクリーンを用いた通話音声のミュート処理では誤操作の可能性があり、ユーザの操作が煩雑となることがあった。
【０００９】
例えばユーザが接触センサ装置又はタッチスクリーンを１回タッチしたつもりでいたが、そのタッチが検知されない場合又は２回のタッチとして検知された場合には、通話音声の音声信号がミュート処理されないため、秘匿性の高い情報が通話相手に漏洩する可能性があるという課題があった。
【００１０】
本発明は、上述した従来の課題を解決するために、ネットワークを介して接続された相手端末との間のテレビ会議通信において、相手端末に送信される通話音声の音声信号を、直感的な操作によって確実にミュート処理する携帯端末装置、音声ミュート処理方法及びプログラムを提供することを目的とする。
【課題を解決するための手段】
【００１１】
本発明は、ネットワークを介して接続された相手端末と通信する携帯端末装置であって、前記携帯端末装置に対して直交する３軸方向の各加速度を検出する加速度センサと、前記相手端末との通話における前記携帯端末装置の周囲の通話音声を収音する音声収音部と、前記加速度センサの３軸方向の各加速度の検出値を基に、前記携帯端末装置の状態を判定する端末状態判定部と、前記携帯端末装置の状態の判定結果に応じて、収音された前記通話音声の音声信号をミュート処理するミュート処理部と、を備える携帯端末装置である。
【００１２】
また、本発明は、ネットワークを介して接続された相手端末と通信する携帯端末装置における音声ミュート処理方法であって、前記相手端末との通話における前記携帯端末装置の周囲の通話音声を収音するステップと、前記携帯端末装置に対して直交する３軸方向の各加速度を検出するステップと、前記３軸方向の各加速度の検出値を基に、前記携帯端末装置の状態を判定するステップと、前記携帯端末装置の状態の判定結果に応じて、収音された前記通話音声の音声信号をミュート処理するステップと、を有する音声ミュート処理方法である。
【００１３】
また、本発明は、ネットワークを介して接続された相手端末と通信するコンピュータである携帯端末装置に、前記相手端末との通話における前記携帯端末装置の周囲の通話音声を収音するステップと、前記携帯端末装置に対して直交する３軸方向の各加速度を検出するステップと、前記３軸方向の各加速度の検出値を基に、前記携帯端末装置の状態を判定するステップと、前記携帯端末装置の状態の判定結果に応じて、収音された前記通話音声の音声信号をミュート処理するステップと、を実行させるためのプログラムである。
【発明の効果】
【００１４】
本発明によれば、ネットワークを介して接続された相手端末との間のテレビ会議通信において、相手端末に送信される通話音声の音声信号を、直感的な操作によって確実にミュート処理することができる。
【図面の簡単な説明】
【００１５】
【図１】本実施形態の携帯端末装置の動作概要の説明図
【図２】本実施形態の携帯端末装置を含むテレビ会議システムのシステム構成を示すブロック図
【図３】本実施形態の携帯端末装置の音声処理部の内部構成を詳細に示すブロック図
【図４】本実施形態の携帯端末装置の全体的な動作手順を説明するフローチャート
【図５】本実施形態の携帯端末装置の端末状態判定処理の動作手順を説明するフローチャート
【図６】（Ａ）加速度センサの検出軸としての３軸（Ｘ軸、Ｙ軸、Ｚ軸）の説明図、（Ｂ）例えば机の面上に伏せて置かれた携帯端末装置における加速度センサの各軸方向の加速度の検出値の説明図
【図７】本実施形態の携帯端末装置の送話ミュート処理の要否判定処理及び送話ミュート処理の各動作手順を説明するフローチャート
【図８】本実施形態の携帯端末装置の送話ミュート処理の通知処理の動作手順を説明するフローチャート
【図９】本変形例の携帯端末装置の送話ミュート処理の要否判定処理及び送話ミュート処理の各動作手順を説明するフローチャート
【発明を実施するための形態】
【００１６】
以下、本発明に係る携帯端末装置、音声ミュート処理方法及びプログラムの実施形態について、図面を参照して説明する。本実施形態の携帯端末装置は、例えば携帯電話機、スマートフォン、タブレット端末又はＰＤＡ（Personal Digital Assistant）である。
【００１７】
以下の各実施形態では、本発明に係る携帯端末装置の使用形態の一例として、例えば企業内のテレビ会議において携帯端末装置を用いるシチュエーションを説明する。即ち、テレビ会議では、例えばテレビ会議の参加者又は複数の参加者のチームがそれぞれ各実施形態の携帯端末装置を個々に又はチーム毎に用いる。但し、本実施形態の携帯端末装置の使用方法は以下の本実施形態における使用形態に限定されない。
【００１８】
なお、本発明は、携帯端末装置が行う各動作（ステップ）を有する音声ミュート処理方法として表現することも可能である。更に、本発明は、コンピュータとしての携帯端末装置が行う各動作（ステップ）を、携帯端末装置に内蔵されるプロセッサ（例えばＣＰＵ（Central Processing Unit）、ＭＰＵ（Micro Processing Unit）、ＤＳＰ（Digital Signal Processor））に実行させるためのプログラムとして表現しても良い。
【００１９】
（第１の実施形態）
先ず、第１の実施形態の携帯端末装置１０の詳細な内部構成を説明する前に、携帯端末装置１０の動作概要について、図１を用いて簡単に説明する。図１は、本実施形態の携帯端末装置１０の動作概要の説明図である。
【００２０】
図１では、本実施形態の携帯端末装置１０は、テレビ会議において他の参加者と通話している状況であり、例えばカメラＣＡにより撮像された携帯端末装置１０のユーザの映像データ又は通話相手の映像データをディスプレイＤＰに表示している。
【００２１】
携帯端末装置１０は、テレビ会議において他の参加者と通話している間に、例えば机ＤＫの面上に伏せて置かれた状態、即ちディスプレイＤＰの表示面がユーザに見えなくなるように置かれた状態であると判定した場合に、携帯端末装置１０のユーザが話す発言内容の音声の音声信号をミュート処理する。
【００２２】
更に、携帯端末装置１０は、ユーザが話す発言内容の音声の音声信号をミュート処理している間、ミュート処理の実行中であることを、ＬＥＤ発光部１８における点灯又は点滅のパターン（図１に示すパターン１参照）、スピーカ１５における鳴動音の音声出力のパターン（図１に示すパターン２参照）、及び振動モータ部１９におけるバイブレーションのパターン（図１に示すパターン３参照）のうち少なくとも１つのパターンを用いて通知する（図１参照）。
【００２３】
次に、本実施形態の携帯端末装置１０の詳細な内部構成について、図２及び図３を参照して説明する。図２は、本実施形態の携帯端末装置１０を含むテレビ会議システム１００のシステム構成を示すブロック図である。図３は、本実施形態の携帯端末装置１０の音声処理部１６の内部構成を詳細に示すブロック図である。
【００２４】
図２に示す携帯端末装置１０は、加速度センサ１１ａと、照度センサ１１ｂと、マイク１２と、ＡＤ変換器１３と、ＤＡ変換器１４と、スピーカ１５と、音声処理部１６と、無線通信部１７と、ＬＥＤ（Light Emitting Diode）発光部１８と、振動モータ部１９とを含む。携帯端末装置１０と、テレビ会議相手端末５０とは、ネットワークＮＷを介して接続され、テレビ会議において相互に音声信号を送受信する。
【００２５】
なお、図１では、携帯端末装置１０のユーザの映像を撮像するカメラＣＡと、映像データを表示するディスプレイＤＰと、映像に関する所定の信号処理を実行し、映像データを符号化又は復号するための映像処理部との図示が省略されているが、これらの各部が含まれても良い。
【００２６】
加速度センサ１１ａは、予め規定された検出間隔（又は「実行周期」ともいう、例えば２０ｍｓ）毎に、携帯端末装置１０に対して直交する３軸（Ｘ軸、Ｙ軸、Ｚ軸）方向の各加速度を検出し、各加速度の検出値を音声処理部１６に出力する。
【００２７】
図６（Ａ）は、加速度センサ１１ａの検出軸としての３軸（Ｘ軸、Ｙ軸、Ｚ軸）の説明図である。以下の説明において、携帯端末装置１０の面方向を構成する２軸をＸ軸及びＹ軸とし、携帯端末装置１０の厚さ方向を表す軸をＺ軸とする（図６（Ａ）参照）。
【００２８】
照度センサ１１ｂは、予め規定された検出間隔（実行周期、例えば２０ｍｓ）毎に、携帯端末装置１０の筐体に設置されたディスプレイＤＰの表示面に対する照度を検出し、照度の検出値を音声処理部１６に出力する。
【００２９】
音声収音部の一例としてのマイク１２は、携帯端末装置１０のユーザが話している間ではユーザが話す通話音声と周囲の音声（例えば環境音、ノイズ）とを収音し、更に、携帯端末装置１０のユーザが話していない間では周囲の音声を収音する。収音された音声は、マイク１２によって電気信号（音声信号）に変換されてＡＤ変換器１３に入力される。
【００３０】
ＡＤ変換器１３は、所定のサンプリング周波数（例えば８ｋＨｚ）で、マイク１２により収音されたアナログの音声信号をデジタルの音声信号にＡＤ（Analog Digital）変換し、デジタルの音声信号を音声処理部１６に出力する。なお、ＡＤ変換器１３は、音声処理部１６とは異なる構成として図示されているが、音声処理部１６の内部に含まれても良い。
【００３１】
ＤＡ変換器１４は、音声処理部１６から出力されたデジタルの音声信号をアナログの音声信号にＤＡ（Digital Analog）変換し、アナログの音声信号をスピーカ１５に出力する。なお、ＤＡ変換器１４は、音声処理部１６とは異なる構成として図示されているが、音声処理部１６の内部に含まれても良い。
【００３２】
音声出力部の一例としてのスピーカ１５は、テレビ会議相手端末５０を用いる他の参加者が話す通話音声を出力する。また、スピーカ１５は、後述するスピーカ制御部２４の制御の下において、ユーザが話す発言内容の音声の音声信号がミュート処理されている状態であることを通知するための所定の鳴動音（例えば「ピピッ」という鳴動音）を出力する。
【００３３】
音声処理部１６は、加速度センサ１１ａの出力、照度センサ１１ｂの出力、又は加速度センサ１１ａ及び照度センサ１１ｂの各出力を基に、ＡＤ変換器１３から出力された通話音声の音声信号をミュート処理するか否かを判定する。音声処理部１６は、音声信号をミュート処理するか否かの判定結果に応じて、音声信号を符号化処理し、符号化処理後の音声信号を無線通信部１７に出力する。なお、音声処理部１６における符号化処理の方式及びその内容は、携帯端末装置１０及びテレビ会議相手端末５０において既知である。
【００３４】
また、音声処理部１６は、無線通信部１７から出力された音声信号を復号処理し、復号処理後の音声信号をＤＡ変換器１４に出力する。なお、音声処理部１６における復号処理の方式及びその内容は、携帯端末装置１０及びテレビ会議相手端末５０において既知である。なお、音声処理部１６の詳細な動作については、図３以降の各図を参照して後述する。
【００３５】
無線通信部１７は、音声処理部１６から出力された符号化処理後の音声信号を例えば無線通信用の所定周波数帯の信号に変換してテレビ会議相手端末５０に送信する。また、無線通信部１７は、テレビ会議相手端末５０から送信された所定周波数帯の信号を受信し、受信された所定周波数帯の信号を検波及び復調して音声信号を音声処理部１６に出力する。
【００３６】
なお、無線通信部１７は、音声信号と映像信号とを多重化して送信しても良い。具体的には、無線通信部１７は、音声処理部１６から出力された符号化処理後の音声信号と、不図示の映像処理部から出力された符号化処理後の映像信号とを多重化し、更に、多重化後の信号を例えば無線通信用の所定周波数帯の信号に変換してテレビ会議相手端末５０に送信する。
【００３７】
無線通信部１７は、テレビ会議相手端末５０から送信された所定周波数帯の信号を受信し、受信された信号を検波及び復調して音声信号と映像信号とに分離し、音声信号を音声処理部１６に出力し、映像信号を不図示の映像処理部に出力する。
【００３８】
ＬＥＤ発光部１８は、例えばＬＥＤを用いて構成され、後述するＬＥＤ制御部２５の制御の下において、ユーザが話す発言内容の音声の音声信号がミュート処理されている状態であることを通知するための所定のＬＥＤの点灯パターン又は点滅パターンに従って点灯又は点滅する。
【００３９】
振動モータ部１９は、後述する振動モータ制御部２６の制御の下において、ユーザが話す発言内容の音声の音声信号がミュート処理されている状態であることを通知するための所定のバイブレーションパターンに従って振動する。
【００４０】
ネットワークＮＷは、無線ネットワークでも良いし、有線ネットワークでも良い。
【００４１】
テレビ会議相手端末５０は、携帯端末装置１０と同様の構成を有するので、構成及び動作の説明は省略する。
【００４２】
以下、本実施形態の説明を簡単にするために、携帯端末装置１０は、加速度センサ１１ａのＸ軸方向、Ｙ軸方向及びＺ軸方向の各加速度の検出値を基に、ＡＤ変換器１３から出力された音声信号をミュート処理するか否かを判定する。
【００４３】
次に、図３を参照して、音声処理部１６の内部構成を詳細に説明する。図３に示す音声処理部１６は、端末状態判定部２１と、送話ミュート処理部２２と、送話ミュート通知部２３と、スピーカ制御部２４と、ＬＥＤ制御部２５と、振動モータ制御部２６とを含む。
【００４４】
端末状態判定部２１は、加速度センサ１１ａから出力されたＸ軸、Ｙ軸及びＺ軸の各軸方向の加速度の検出値を基に、携帯端末装置１０の状態を判定する。携帯端末装置１０の状態とは、携帯端末装置１０が特定の置かれ方がなされた状態を表し、例えば携帯端末装置１０が机ＤＫの面上に伏せて置かれた状態が該当する。
【００４５】
端末状態判定部２１は、Ｘ軸、Ｙ軸及びＺ軸の各軸方向の加速度の検出値が所定の条件（図５参照）を満たす場合に、例えば携帯端末装置１０は机ＤＫの面上に伏せて置かれた状態と判定する（図６（Ｂ）参照）。図６（Ｂ）は、例えば机ＤＫの面上に伏せて置かれた携帯端末装置１０における加速度センサ１１ａの各軸方向の加速度の検出値の説明図である。
【００４６】
例えば携帯端末装置１０が机ＤＫの面上に伏せて置かれた場合には、加速度センサ１１ａのＸ軸、Ｙ軸及びＺ軸の各軸方向の加速度の検出値Ｄｘ，Ｄｙ，Ｄｚはそれぞれ０，０，９．８となる。即ち、Ｄｘ＝０、Ｄｙ＝０、Ｄｚ＝９．８となる（図６（Ｂ）参照）。９．８は地球上の物体にかかる重力に関する重力加速度と同じ値である。
【００４７】
従って、端末状態判定部２１は、上述した所定の条件として例えばＸ軸方向の加速度の検出値Ｄｘ及びＹ軸方向の加速度の検出値Ｄｙの各絶対値が第１閾値Ａ（例えば０．５）以下であって、且つ、Ｚ軸方向の加速度の検出値Ｄｚが第２閾値Ｂ（例えば９．５）以上を満たす場合には、例えば携帯端末装置１０が机ＤＫの面上に伏せて置かれた状態と判定する。
【００４８】
端末状態判定部２１は、例えば携帯端末装置１０が机ＤＫの面上に伏せて置かれた状態と判定した場合には、マイク１２により収音された通話音声の音声信号をミュート処理させるためのミュートフラグを生成して送話ミュート処理部２２及び送話ミュート通知部２３に出力する。ミュートフラグの内容は、例えばマイク１２により収音された通話音声の音声信号をミュート処理させる場合には「１」であり、ＡＤ変換器１３から出力された通話音声の音声信号をミュート処理させない場合には「０」である。
【００４９】
送話ミュート処理部２２は、端末状態判定部２１における携帯端末装置１０の状態の判定結果、即ちミュートフラグの内容に応じて、ＡＤ変換器１３から出力された通話音声の音声信号をミュート処理し、ミュート処理後の音声信号を送話音声信号として無線通信部１７に出力する。なお、無線通信部１７から出力された受話音声信号としての音声信号は音声処理部１６を介してＤＡ変換器１４に入力される。
【００５０】
送話ミュート通知部２３は、端末状態判定部２１における携帯端末装置１０の状態の判定結果、即ちミュートフラグの内容が「１」である場合には、ユーザが話す発言内容の音声の音声信号のミュート処理の実行中であることを、ＬＥＤ発光部１８における点灯又は点滅、スピーカ１５における鳴動音の音声出力、及び振動モータ部１９におけるバイブレーションのうち少なくとも１つのパターンを用いて通知する（図１参照）。
【００５１】
具体的には、送話ミュート通知部２３は、ユーザが話す発言内容の音声の音声信号のミュート処理の実行中であることを通知するための制御信号を、後述する通知方法設定ファイルの内容に従って、スピーカ制御部２４、ＬＥＤ制御部２５及び振動モータ制御部２６のうち少なくとも１つに出力する。
【００５２】
ユーザが話す発言内容の音声の音声信号のミュート処理の実行中であることを通知する通知方法として、本実施形態ではＬＥＤ発光部１８における点灯又は点滅のパターン、スピーカ１５における鳴動音の音声出力のパターン、及び振動モータ部１９におけるバイブレーションのパターンの３つのパターンを例示しているが、これらに限定されない。また、送話ミュート通知部２３は、ユーザが話す発言内容の音声の音声信号のミュート処理の実行中であることを、複数のパターンを組み合わせて、又は全てのパターンを組み合わせて通知しても良い。
【００５３】
また、携帯端末装置１０は、ユーザが話す発言内容の音声の音声信号のミュート処理の実行中であることを通知するためにどの通知方法を用いるかを規定した通知方法設定ファイルを、送話ミュート通知部２３又は不図示のメモリに保持する。携帯端末装置１０は、ユーザの通知方法設定ファイルの内容変更操作に応じて、通知方法の内容を変更しても良い。例えば、携帯端末装置１０は、ＬＥＤ発光部１８における点灯又は点滅による通知から、振動モータ部１９におけるバイブレーションによる通知に切り換える。
【００５４】
スピーカ制御部２４は、送話ミュート通知部２３から出力された制御信号に応じて、ユーザが話す発言内容の音声の音声信号のミュート処理の実行中であることを通知することを表す所定の鳴動音の音声信号をＤＡ変換器１４に出力する。ＤＡ変換器１４に入力された鳴動音の音声信号はスピーカ１５を介して出力される。
【００５５】
ＬＥＤ制御部２５は、送話ミュート通知部２３から出力された制御信号に応じて、ユーザが話す発言内容の音声の音声信号のミュート処理の実行中であることを通知することを表す所定のＬＥＤの点灯又は点滅のパターンをＬＥＤ発光部１８に点灯又は点滅させる。
【００５６】
振動モータ制御部２６は、送話ミュート通知部２３から出力された制御信号に応じて、ユーザが話す発言内容の音声の音声信号のミュート処理の実行中であることを通知することを表す所定のバイブレーション（振動）のパターンを振動モータ部１９に振動させる。
【００５７】
次に、本実施形態の携帯端末装置１０の全体的な動作手順について、図４を参照して説明する。図４は、本実施形態の携帯端末装置１０の全体的な動作手順を説明するフローチャートである。図４に示す各動作は、加速度センサ１１ａの加速度の検出の実行周期（例えば２０ｍｓ）毎に繰り返して行われる。
【００５８】
図４において、加速度センサ１１ａは、予め規定された検出間隔（実行周期、例えば２０ｍｓ）毎に、携帯端末装置１０に対して直交する３軸（Ｘ軸、Ｙ軸、Ｚ軸）方向の各加速度を検出し、各加速度の検出値を音声処理部１６の端末状態判定部２１に出力する（Ｓ１１）。
【００５９】
端末状態判定部２１は、加速度センサ１１ａから出力されたＸ軸、Ｙ軸及びＺ軸の各軸方向の加速度の検出値を基に、携帯端末装置１０の状態を判定し、携帯端末装置１０の状態の判定結果としてのミュートフラグを送話ミュート処理部２２及び送話ミュート通知部２３に出力する（Ｓ１２）。なお、端末状態判定部２１の詳細な動作については、図５を参照して後述する。
【００６０】
送話ミュート処理部２２は、端末状態判定部２１における携帯端末装置１０の状態の判定結果、即ちミュートフラグの内容に応じて、ＡＤ変換器１３から出力された通話音声の音声信号をミュート処理する（Ｓ１３）。なお、送話ミュート処理部２２の詳細な動作については、図７を参照して後述する。
【００６１】
送話ミュート処理部２２は、ＡＤ変換器１３から出力された通話音声の音声信号をミュート処理した場合には（Ｓ１４、ＹＥＳ）、ミュート処理後の音声信号を送話音声信号として無線通信部１７に出力する。一方、送話ミュート処理部２２は、ＡＤ変換器１３から出力された通話音声の音声信号をミュート処理していない場合には（Ｓ１４、ＮＯ）、ミュート処理していない音声信号を送話音声信号として無線通信部１７に出力する。この場合、携帯端末装置１０の動作はステップＳ１６に進む。
【００６２】
送話ミュート通知部２３は、端末状態判定部２１における携帯端末装置１０の状態の判定結果、即ちミュートフラグの内容が「１」である場合には（Ｓ１４、ＹＥＳ）、ユーザが話す発言内容の音声の音声信号のミュート処理の実行中であることを、ＬＥＤ発光部１８における点灯又は点滅のパターン、スピーカ１５における鳴動音の音声出力のパターン、及び振動モータ部１９におけるバイブレーションのパターンのうち少なくとも１つのパターンを用いて通知する（Ｓ１５）。なお、送話ミュート通知部２３の詳細な動作については、図８を参照して後述する。
【００６３】
ステップＳ１５の後、携帯端末装置１０のユーザがテレビ会議相手端末５０との間の通話の終了が要求された場合には（Ｓ１６、ＹＥＳ）、図４に示す携帯端末装置１０の動作は終了する。一方、ステップＳ１５の後、携帯端末装置１０のユーザがテレビ会議相手端末５０との間の通話の終了が要求されるまで、ステップＳ１１からステップＳ１５までの各動作が繰り返される。
【００６４】
次に、端末状態判定部２１の詳細な動作について、図５を参照して説明する。図５は、本実施形態の携帯端末装置１０の端末状態判定処理の動作手順を説明するフローチャートである。
【００６５】
図５において、端末状態判定部２１は、加速度センサ１１ａから出力されたＸ軸、Ｙ軸及びＺ軸の各軸方向の加速度の検出値を取得する（Ｓ２１）。端末状態判定部２１は、ステップＳ２１において得られたＸ軸方向の加速度の検出値Ｄｘ及びＹ軸方向の加速度の検出値Ｄｙの各絶対値が第１閾値Ａ（例えば０．５）以下であって、且つ、Ｚ軸方向の加速度の検出値Ｄｚが第２閾値Ｂ（例えば９．５）以上であるか否かを判定する（Ｓ２２）。
【００６６】
端末状態判定部２１は、ステップＳ２１において得られたＸ軸方向の加速度の検出値Ｄｘ及びＹ軸方向の加速度の検出値Ｄｙの各絶対値が第１閾値Ａ（例えば０．５）以下であって、且つ、Ｚ軸方向の加速度の検出値Ｄｚが第２閾値Ｂ（例えば９．５）以上であると判定した場合には（Ｓ２２、ＹＥＳ）、例えば携帯端末装置１０が机ＤＫの面上に伏せて置かれた状態と判定する。
【００６７】
端末状態判定部２１は、例えば携帯端末装置１０が机ＤＫの面上に伏せて置かれた状態と判定した場合には、ＡＤ変換器１３から出力された通話音声の音声信号をミュート処理させるためのミュートフラグ（例えば「１」）を生成して送話ミュート処理部２２及び送話ミュート通知部２３に出力する（Ｓ２３）。これにより、図５に示す端末状態判定部２１の動作は終了する。
【００６８】
一方、端末状態判定部２１は、ステップＳ２１において得られたＸ軸方向の加速度の検出値Ｄｘ及びＹ軸方向の加速度の検出値Ｄｙの各絶対値が第１閾値Ａ（例えば０．５）以下であって、且つ、Ｚ軸方向の加速度の検出値Ｄｚが第２閾値Ｂ（例えば９．５）以上であると判定しない場合には（Ｓ２２、ＮＯ）、ＡＤ変換器１３から出力された通話音声の音声信号をミュート処理させないためのミュートフラグ（例えば「０」）を生成して送話ミュート処理部２２及び送話ミュート通知部２３に出力する（Ｓ２３）。これにより、図５に示す端末状態判定部２１の動作は終了する。
【００６９】
次に、送話ミュート処理部２２における送話ミュート処理の要否判定処理と送話ミュート処理の詳細な動作について、図７を参照して説明する。図７は、本実施形態の携帯端末装置１０の送話ミュート処理の要否判定処理及び送話ミュート処理の各動作手順を説明するフローチャートである。
【００７０】
図７において、送話ミュート処理部２２は、端末状態判定部２１における携帯端末装置１０の状態の判定結果、即ちミュートフラグを取得し、ミュートフラグの値を判定する（Ｓ３１）。送話ミュート処理部２２は、ミュートフラグの値が「１」であるか否かを判定する（Ｓ３２）。
【００７１】
送話ミュート処理部２２は、ミュートフラグの値が「１」であると判定した場合には（Ｓ３２、ＹＥＳ）、ＡＤ変換器１３から出力された通話音声の音声信号をミュート処理し、ミュート処理後の音声信号を送話音声信号として無線通信部１７に出力する（Ｓ３３）。これにより、図７に示す送話ミュート処理部２２の動作は終了する。
【００７２】
一方、送話ミュート処理部２２は、ミュートフラグの値が「１」でない、即ち「０」であると判定した場合には（Ｓ３２、ＮＯ）、ＡＤ変換器１３から出力された通話音声の音声信号をミュート処理せずに送話音声信号として無線通信部１７に出力する。これにより、図７に示す送話ミュート処理部２２の動作は終了する。
【００７３】
次に、送話ミュート通知部２３における送話ミュート処理の通知処理について、図８を参照して説明する。図８は、本実施形態の携帯端末装置１０の送話ミュート処理の通知処理の動作手順を説明するフローチャートである。
【００７４】
図８において、送話ミュート通知部２３は、端末状態判定部２１における携帯端末装置１０の状態の判定結果、即ちミュートフラグを取得し、ミュートフラグの値を判定する（Ｓ４１）。送話ミュート通知部２３は、ミュートフラグの値が「１」であるか否かを判定する（Ｓ４２）。ミュートフラグの値が「１」でない、即ち「０」と判定された場合には（Ｓ４２、ＮＯ）、送話ミュート処理部２２はＡＤ変換器１３から出力された通話音声の音声信号をミュート処理しないので、図８に示す送話ミュート通知部２３の動作は終了する。
【００７５】
一方、送話ミュート通知部２３は、ミュートフラグの値が「１」であると判定した場合には（Ｓ４２、ＹＥＳ）、例えば送話ミュート通知部２３又は不図示のメモリに保持している通知方法設定ファイルを参照する。更に、送話ミュート通知部２３は、ユーザが話す発言内容の音声の音声信号のミュート処理の実行中であることを、ＬＥＤ発光部１８における点灯又は点滅によって通知するか否かを判定する（Ｓ４３）。ＬＥＤ発光部１８における点灯又は点滅による通知の設定が通知方法設定ファイルに規定されていないと判定された場合には（Ｓ４３、ＮＯ）、送話ミュート通知部２３の動作はステップＳ４５に進む。
【００７６】
送話ミュート通知部２３は、ＬＥＤ発光部１８における点灯又は点滅による通知の設定が通知方法設定ファイルに規定されていると判定した場合には（Ｓ４３、ＹＥＳ）、ユーザが話す発言内容の音声の音声信号のミュート処理の実行中であることを、ＬＥＤ発光部１８における点灯又は点滅によって通知する（Ｓ４４）。
【００７７】
また、送話ミュート通知部２３は、通知方法設定ファイルを参照して、ユーザが話す発言内容の音声の音声信号のミュート処理の実行中であることを、振動モータ部１９におけるバイブレーションによって通知するか否かを判定する（Ｓ４５）。振動モータ部１９におけるバイブレーションによる通知の設定が通知方法設定ファイルに規定されていないと判定された場合には（Ｓ４５、ＮＯ）、送話ミュート通知部２３の動作はステップＳ４７に進む。
【００７８】
送話ミュート通知部２３は、振動モータ部１９におけるバイブレーションによる通知の設定が通知方法設定ファイルに規定されていると判定した場合には（Ｓ４５、ＹＥＳ）、ユーザが話す発言内容の音声の音声信号のミュート処理の実行中であることを、振動モータ部１９におけるバイブレーションによって通知する（Ｓ４６）。
【００７９】
更に、送話ミュート通知部２３は、通知方法設定ファイルを参照して、ユーザが話す発言内容の音声の音声信号のミュート処理の実行中であることを、スピーカ１５における鳴動音の音声出力によって通知するか否かを判定する（Ｓ４７）。スピーカ１５における鳴動音の音声出力による通知の設定が通知方法設定ファイルに規定されていないと判定された場合には（Ｓ４７、ＮＯ）、図８に示す送話ミュート通知部２３の動作は終了する。
【００８０】
送話ミュート通知部２３は、スピーカ１５における鳴動音の音声出力による通知の設定が通知方法設定ファイルに規定されていると判定した場合には（Ｓ４７、ＹＥＳ）、ユーザが話す発言内容の音声の音声信号のミュート処理の実行中であることを、スピーカ１５における鳴動音の音声出力によって通知する（Ｓ４８）。これにより、図８に示す送話ミュート通知部２３の動作は終了する。
【００８１】
以上により、本実施形態の携帯端末装置１０は、携帯端末装置１０に対して直交する３軸（Ｘ軸、Ｙ軸及びＺ軸）方向の各加速度の検出値を基に、携帯端末装置１０の状態（例えば携帯端末装置１０の置かれ方）を判定する。携帯端末装置１０は、携帯端末装置１０の状態を判定した結果、携帯端末装置１０が特定の置かれた方（例えば携帯端末装置１０が伏せて置かれた場合）がなされたと判定した場合には、ＡＤ変換器１３から出力されたテレビ会議相手端末５０との通話時における通話音声の音声信号をミュート処理する。
【００８２】
これにより、携帯端末装置１０は、ネットワークＮＷを介して接続されたテレビ会議相手端末５０との間のテレビ会議通信において、携帯端末装置１０が特定の置かれた方がなされたというユーザにとって直感的で分かり易い操作によって、携帯端末装置１０とテレビ会議相手端末５０との間の通話時に送信される通話音声の音声信号を確実にミュート処理できる。
【００８３】
従って、携帯端末装置１０は、携帯端末装置１０とテレビ会議相手端末５０との間の通話時に送信される通話音声の内容の秘匿性が高い場合でも、携帯端末装置１０が特定の置かれた方がなされたというユーザにとって直感的で分かり易い操作によって、テレビ会議相手端末５０を用いる通話相手に対して情報の漏洩を回避できる。
【００８４】
（第１の実施形態の変形例）
第１の実施形態では、携帯端末装置１０におけるミュートフラグの更新周期、即ち、例えば携帯端末装置１０が机ＤＫの面上に伏せて置かれたか否かの判定周期は、加速度センサ１１ａの検出間隔（実行周期）と同じで、例えば２０ｍｓであった。
【００８５】
ここで、携帯端末装置１０におけるミュートフラグの更新周期が短いと、携帯端末装置１０の動作が不安定になる可能性がある。携帯端末装置１０の動作が不安定になる場合とは、例えば、短い更新周期毎にＡＤ変換器１３から出力された通話音声の音声信号がミュート処理されたり、ミュート処理されなかったりするので、通話音声の音声信号が途切れた状態でテレビ会議相手端末５０に送信されてしまい、テレビ会議における通話が円滑に行うことが困難となることが考えられる。
【００８６】
そこで、第１の実施形態の変形例（以下、「本変形例」という）では、携帯端末装置１０は、ミュートフラグの更新周期を、１回の実行周期の期間ではなく、継続カウンタ値と実行周期との乗算結果の期間とし、継続カウンタ値と実行周期との乗算結果の期間が終了すると、ミュートフラグを更新する。
【００８７】
本変形例の携帯端末装置１０は、図２に示す携帯端末装置１０の各部の構成及び動作が同一であるため、同一の符号を付して説明を省略又は簡略化し、第１の実施形態の携帯端末装置１０と異なる内容について説明する。
【００８８】
ここで、継続カウンタ値について簡単に説明する。
【００８９】
継続カウンタ値は、初期値が所定の整数（例えば２０）であって、初期値から０までの範囲の整数であり、送話ミュート処理部２２における送話ミュート処理の要否判定処理のタイミング（例えば２０ｍｓ毎）に送話ミュート処理部２２によって１つずつ減少されるパラメータである。更に、継続カウンタ値は、ミュートフラグの内容が「１」である場合に、複数回の実行周期の期間にわたって通話音声の音声信号のミュート処理を継続させるために設けられたパラメータである。
【００９０】
次に、本変形例の携帯端末装置１０の送話ミュート処理部２２における送話ミュート処理の要否判定処理及び送話ミュート処理について、図９を参照して説明する。図９は、本変形例の携帯端末装置１０の送話ミュート処理の要否判定処理及び送話ミュート処理の各動作手順を説明するフローチャートである。図９では、図７に示すフローチャートと同一の動作内容のものについては同一のステップ番号を付して説明を省略又は簡略化し、異なる内容について説明する。更に、図９に示す各動作は、図７と同様に加速度センサ１１ａの加速度の検出の実行周期と同様に例えば２０ｍｓ毎に繰り返して実行される。
【００９１】
図９において、送話ミュート処理部２２は、端末状態判定部２１における携帯端末装置１０の状態の判定結果、即ちミュートフラグを取得し、ミュートフラグの値を判定する（Ｓ３１）。送話ミュート処理部２２は、継続カウンタ値が０（ゼロ）であるか否かを判定する（Ｓ３４）。継続カウンタ値は、例えば送話ミュート処理部２２又は不図示のメモリに保持されている。
【００９２】
送話ミュート処理部２２は、継続カウンタ値が０（ゼロ）ではないと判定した場合には（Ｓ３４、ＮＯ）、継続カウンタ値を１つデクリメントする（Ｓ３６）。即ち、携帯端末装置１０は、以前の通話音声の音声信号のミュート処理の要否判定処理結果に従って、通話音声の音声信号のミュート処理を行っている状態、又はミュート処理を行っていない状態を継続する。これにより、図９に示す送話ミュート処理部２２の動作は終了する。
【００９３】
一方、送話ミュート処理部２２は、継続カウンタ値が０（ゼロ）であると判定した場合には（Ｓ３４、ＹＥＳ）、継続カウンタ値を初期化する（Ｓ３５）。即ち、送話ミュート処理部２２は、継続カウンタ値の初期値Ｉｎｉ（例えば２０）を設定する。ステップＳ３５以降の動作は、図７に示すステップＳ３２と同様であるため、説明を省略する。
【００９４】
以上により、本変形例の携帯端末装置１０は、例えば携帯端末装置１０が机ＤＫの面上に伏せて置かれた状態であると判定した場合に、テレビ会議相手端末５０との通話時における通話音声の音声信号のミュート処理を、継続カウンタ値と実行周期との乗算結果の期間にわたって継続する。
【００９５】
これにより、携帯端末装置１０は、例えばミュートフラグを更新させるための実行周期の期間が短くても、テレビ会議相手端末５０との通話時における通話音声の音声信号のミュート処理を、所定の初期値Ｉｎｉから実行周期が経過する度に１つ減少する継続カウンタ値と実行周期との乗算結果の期間にわたって継続できるので、携帯端末装置１０の動作の不安定化を抑制してミュート処理を安定して確実に実行できる。
【００９６】
以下、上述した本発明に係る携帯端末装置、音声ミュート処理方法及びプログラムの構成、作用及び効果を説明する。
【００９７】
本発明の一実施形態は、ネットワークを介して接続された相手端末と通信する携帯端末装置であって、所定の実行周期毎に、前記携帯端末装置に対して直交する３軸方向の各加速度を検出する加速度センサと、前記相手端末との通話における前記携帯端末装置の周囲の通話音声を収音する音声収音部と、前記加速度センサの３軸方向の各加速度の検出値を基に、前記携帯端末装置の状態を判定する端末状態判定部と、前記携帯端末装置の状態の判定結果に応じて、収音された前記通話音声の音声信号をミュート処理するミュート処理部と、を備える携帯端末装置である。
【００９８】
この構成によれば、携帯端末装置１０は、携帯端末装置１０に対して直交する３軸方向の各加速度の検出値を基に、携帯端末装置１０の状態（例えば携帯端末装置１０の置かれ方）を判定する。携帯端末装置１０は、携帯端末装置１０の状態を判定した結果、携帯端末装置１０が特定の置かれた方（例えば携帯端末装置１０が伏せて置かれた場合）がなされた場合には、マイク１２により収音された相手端末との通話時における通話音声の音声信号をミュート処理する。
【００９９】
これにより、携帯端末装置１０は、ネットワークＮＷを介して接続されたテレビ会議相手端末５０との間のテレビ会議通信において、携帯端末装置１０が特定の置かれた方がなされたというユーザにとって直感的で分かり易い操作によって、携帯端末装置１０とテレビ会議相手端末５０との間の通話時に送信される通話音声（送話音声）の音声信号を確実にミュート処理できる。従って、携帯端末装置１０は、携帯端末装置１０とテレビ会議相手端末５０との間の通話時に送信される通話音声（送話音声）の内容の秘匿性が高い場合でも、携帯端末装置１０が特定の置かれた方がなされたというユーザにとって直感的で分かり易い操作によって、テレビ会議相手端末５０を用いる通話相手に対して情報の漏洩を回避できる。
【０１００】
また、本発明の一実施形態は、前記所定の実行周期毎に、前記携帯端末装置の筐体の所定の面に対する照度を検出する照度センサ、を更に備え、前記端末状態判定部が、前記加速度センサの３軸方向の各加速度の検出値と前記照度センサの前記所定の面に対する照度の検出値とを基に、前記携帯端末装置の状態を判定する携帯端末装置である。
【０１０１】
この構成によれば、照度センサ１１ｂは、例えば携帯端末装置１０の筐体のディスプレイの表示面に対する照度を検出し、ディスプレイの表示面に対する照度の検出値が所定値以下である場合には、ディスプレイの表示面に対する照度の検出値が所定値以下である旨の検出信号を端末状態判定部２１に出力する。携帯端末装置１０は、加速度センサ１１ａの３軸方向の各加速度の検出値と、照度センサ１１ｂから出力された検出信号の内容とを基に、携帯端末装置１０が特定の置かれ方がなされたか否かを判定する。
【０１０２】
これにより、携帯端末装置１０は、ディスプレイの表示面に対する照度の検出値が所定値以下であれば携帯端末装置１０が伏せて置かれた状態と考えられるので、加速度センサ１１ａだけを用いる場合に比べて、携帯端末装置１０の状態を高精度に判定することができる。
【０１０３】
また、本発明の一実施形態は、前記端末状態判定部が、前記加速度センサの３軸方向の各加速度の検出値のうち、前記携帯端末装置の面方向の各加速度の検出値が所定の第１閾値以下であって、前記携帯端末装置の厚さ方向の各加速度の検出値が所定の第２閾値以上である場合に、前記携帯端末装置が伏せて置かれたと判定し、収音された前記通話音声の音声信号をミュート処理させるためのミュートフラグを生成する携帯端末装置である。
【０１０４】
この構成によれば、端末状態判定部２１は、加速度センサ１１ａの３軸方向の各加速度の検出値のうち、携帯端末装置１０の面方向（Ｘ軸−Ｙ軸方向）の各加速度の検出値Ｄｘ，Ｄｙが所定の第１閾値（閾値Ａ）以下であり、携帯端末装置１０の厚さ方向（Ｚ軸方向）の加速度の検出値Ｄｚが所定の第２閾値（閾値Ｂ）以上である場合に、携帯端末装置１０が伏せて置かれた状態であると判定する。更に、端末状態判定部２１は、携帯端末装置１０が伏せて置かれた状態であると判定した場合に、マイク１２により収音された通話音声の音声信号をミュート処理させるためのミュートフラグを生成する。
【０１０５】
これにより、携帯端末装置１０は、例えば携帯端末装置１０が机の面上に伏せて置かれた場合の面方向及び厚さ方向の各加速度の検出値Ｄｘ，Ｄｙ，Ｄｚの検出値の特性（傾向）を考慮して、携帯端末装置１０が面上に伏せて置かれた状態であるか否かを簡易に判定できる。
【０１０６】
また、本発明の一実施形態は、前記ミュート処理部が、前記端末状態判定部により生成された前記ミュートフラグに応じて、前記音声収音部により収音された通話音声の音声信号をミュート処理する携帯端末装置である。
【０１０７】
これにより、携帯端末装置１０は、例えば携帯端末装置１０が机の面上に伏せて置かれた状態であると端末状態判定部２１により判定された場合に、マイク１２により収音された通話音声の音声信号を確実にミュート処理することができる。
【０１０８】
また、本発明の一実施形態は、前記携帯端末装置の状態が特定の置かれ方であると判定された場合に、前記音声収音部により収音された通話音声の音声信号のミュート処理の実行を、照明の点灯若しくは点滅、バイブレータ及び鳴動音のうち、少なくとも１つを用いて通知する送話ミュート通知部を更に有する携帯端末装置である。
【０１０９】
この構成によれば、送話ミュート通知部２３は、例えば携帯端末装置１０が机の面上に伏せて置かれた状態であると端末状態判定部２１により判定された場合に、マイク１２により収音された通話音声の音声信号のミュート処理の実行を、照明（例えばＬＥＤ）の点灯又は点滅、バイブレータ及び鳴動音のうち、少なくとも１つを用いて通知する。
【０１１０】
これにより、携帯端末装置１０は、例えば携帯端末装置１０が机の面上に伏せて置かれた状態であると端末状態判定部２１により判定された場合に、テレビ会議相手端末５０との通話時における通話音声をミュート処理している状態を、携帯端末装置１０のユーザに対して視覚的、感覚的又は聴覚的に認知させることができる。
【０１１１】
また、本発明の一実施形態は、前記ミュート処理部が、継続カウンタ値と前記所定の実行周期との乗算結果の期間において、前記音声収音部により収音された通話音声の音声信号をミュート処理し、前記継続カウンタ値が、所定の初期値から前記実行周期の期間が経過する度に１減少する携帯端末装置である。
【０１１２】
この構成によれば、送話ミュート処理部２２は、例えば携帯端末装置１０が机の面上に伏せて置かれた状態であると端末状態判定部２１により判定された場合に、テレビ会議相手端末５０との通話時における通話音声の音声信号のミュート処理を、継続カウンタ値と所定の実行周期との乗算結果の期間にわたって継続する。
【０１１３】
これにより、携帯端末装置１０は、例えばミュートフラグを更新させるための実行周期の期間が短くても、テレビ会議相手端末５０との通話時における通話音声の音声信号のミュート処理を、所定の初期値Ｉｎｉから実行周期が経過する度に１減少する継続カウンタ値と実行周期との乗算結果の期間にわたって継続できるので、携帯端末装置１０の動作の不安定化を抑制してミュート処理を安定して確実に実行できる。
【０１１４】
また、本発明の一実施形態は、ネットワークを介して接続された相手端末と通信する携帯端末装置における音声ミュート処理方法であって、前記相手端末との通話における前記携帯端末装置の周囲の通話音声を収音するステップと、所定の実行周期毎に、前記携帯端末装置に対して直交する３軸方向の各加速度を検出するステップと、前記３軸方向の各加速度の検出値を基に、前記携帯端末装置の状態を判定するステップと、前記携帯端末装置の状態の判定結果に応じて、収音された前記通話音声の音声信号をミュート処理するステップと、を有する音声ミュート処理方法である。
【０１１５】
この方法によれば、携帯端末装置１０は、携帯端末装置１０に対して直交する３軸方向の各加速度の検出値を基に、携帯端末装置１０の状態（例えば携帯端末装置１０の置かれ方）を判定する。携帯端末装置１０は、携帯端末装置１０の状態を判定した結果、携帯端末装置１０が特定の置かれた方（例えば携帯端末装置１０が伏せて置かれた場合）がなされた場合には、マイク１２により収音された相手端末との通話時における通話音声の音声信号をミュート処理する。
【０１１６】
これにより、携帯端末装置１０は、ネットワークＮＷを介して接続されたテレビ会議相手端末５０との間のテレビ会議通信において、携帯端末装置１０が特定の置かれた方がなされたというユーザにとって直感的で分かり易い操作によって、携帯端末装置１０とテレビ会議相手端末５０との間の通話時に送信される通話音声（送話音声）の音声信号を確実にミュート処理できる。従って、携帯端末装置１０は、携帯端末装置１０とテレビ会議相手端末５０との間の通話時に送信される通話音声（送話音声）の内容の秘匿性が高い場合でも、携帯端末装置１０が特定の置かれた方がなされたというユーザにとって直感的で分かり易い操作によって、テレビ会議相手端末５０を用いる通話相手に対して情報の漏洩を回避できる。
【０１１７】
また、本発明の一実施形態は、ネットワークを介して接続された相手端末と通信するコンピュータである携帯端末装置に、前記相手端末との通話における前記携帯端末装置の周囲の通話音声を収音するステップと、所定の実行周期毎に、前記携帯端末装置に対して直交する３軸方向の各加速度を検出するステップと、前記３軸方向の各加速度の検出値を基に、前記携帯端末装置の状態を判定するステップと、前記携帯端末装置の状態の判定結果に応じて、収音された前記通話音声の音声信号をミュート処理するステップと、を実行させるためのプログラムである。
【０１１８】
このプログラムによれば、コンピュータである携帯端末装置１０は、携帯端末装置１０に対して直交する３軸方向の各加速度の検出値を基に、携帯端末装置１０の状態（例えば携帯端末装置１０の置かれ方）を判定する。携帯端末装置１０は、携帯端末装置１０の状態を判定した結果、携帯端末装置１０が特定の置かれた方（例えば携帯端末装置１０が伏せて置かれた場合）がなされた場合には、マイク１２により収音された相手端末との通話時における通話音声の音声信号をミュート処理する。
【０１１９】
これにより、携帯端末装置１０は、ネットワークＮＷを介して接続されたテレビ会議相手端末５０との間のテレビ会議通信において、携帯端末装置１０が特定の置かれた方がなされたというユーザにとって直感的で分かり易い操作によって、携帯端末装置１０とテレビ会議相手端末５０との間の通話時に送信される通話音声（送話音声）の音声信号を確実にミュート処理できる。従って、携帯端末装置１０は、携帯端末装置１０とテレビ会議相手端末５０との間の通話時に送信される通話音声（送話音声）の内容の秘匿性が高い場合でも、携帯端末装置１０が特定の置かれた方がなされたというユーザにとって直感的で分かり易い操作によって、テレビ会議相手端末５０を用いる通話相手に対して情報の漏洩を回避できる。
【０１２０】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２１】
上述した本実施形態又は本変形例において、携帯端末装置１０は、加速度センサ１１ａのＸ軸方向、Ｙ軸方向及びＺ軸方向の各加速度の検出値と、照度センサ１１ｂの照度の検出値とを基に、ＡＤ変換器１３から出力された音声信号をミュート処理するか否かを判定しても良い。
【０１２２】
具体的には、携帯端末装置１０の端末状態判定部２１は、加速度センサ１１ａから得られたＸ軸方向の加速度の検出値Ｄｘ及びＹ軸方向の加速度の検出値Ｄｙの各絶対値が第１閾値Ａ（例えば０．５）以下であって、且つ、Ｚ軸方向の加速度の検出値Ｄｚが第２閾値Ｂ（例えば９．５）以上であり、更に、照度センサ１１ｂから得られた照度の検出値が所定の閾値未満であると判定したとする。この場合に、端末状態判定部２１は、ＡＤ変換器１３から出力された通話音声の音声信号をミュート処理させるためのミュートフラグ（例えば「１」）を生成して送話ミュート処理部２２及び送話ミュート通知部２３に出力する。
【０１２３】
照度センサ１１ｂから得られた照度の検出値と比較される所定の閾値は、例えば携帯端末装置１０が机ＤＫの面上に伏せて置かれた場合に照度センサ１１ｂが検出する照度の検出値と同等の値であることが好ましい。
【０１２４】
これにより、携帯端末装置１０は、加速度センサ１１ａ及び照度センサ１１ｂの両方の検出値を用いて、携帯端末装置１０の状態を高精度に判定できる。
【０１２５】
また、携帯端末装置１０は、加速度センサ１１ａの検出値を用いず、照度センサ１１ｂの検出値を用いて携帯端末装置１０の状態を推定する場合には、上述したように、照度センサ１１ｂから得られた照度の検出値が所定の閾値未満であると判定した場合に、例えば携帯端末装置１０が机ＤＫの面上に伏せて置かれたと判定し、ＡＤ変換器１３から出力された通話音声の音声信号をミュート処理させるためのミュートフラグ（例えば「１」）を生成して送話ミュート処理部２２及び送話ミュート通知部２３に出力しても良い。
【産業上の利用可能性】
【０１２６】
本発明は、ネットワークを介して接続された相手端末との間のテレビ会議通信において、相手端末に送信される送話音声を、直感的な操作によって確実にミュート処理する携帯端末装置として有用であり、例えば携帯電話機、スマートフォン又はタブレット端末が該当する。
【符号の説明】
【０１２７】
１０  携帯端末装置
１１ａ  加速度センサ
１１ｂ  照度センサ
１２  マイク
１３  ＡＤ変換器
１４  ＤＡ変換器
１５  スピーカ
１６  音声処理部
１７  無線通信部
１８  ＬＥＤ発光部
１９  振動モータ部
２１  端末状態判定部
２２  送話ミュート処理部
２３  送話ミュート通知部
２４  スピーカ制御部
２５  ＬＥＤ制御部
２６  振動モータ制御部
５０  テレビ会議相手端末
【図１】
2014220558.tif 000003
【図２】
2014220558.tif 000004
【図３】
2014220558.tif 000005
【図４】
2014220558.tif 000006
【図５】
2014220558.tif 000007
【図６】
2014220558.tif 000008
【図７】
2014220558.tif 000009
【図８】
2014220558.tif 000010
【図９】
2014220558.tif 000011